(57)【要約】【課題】入力経路を自動的に切り替える際の待機時間として適当な時間を設定することができ、品位の維持、リレーの切替音の発生を抑制し得る映像音声処理装置を提供する。【解決手段】映像音声処理装置としてのレシーバ１０は、ＨＤＭＩ経路（ＨＤＭＩ入力端子）、デジタル経路（デジタル入力端子）、アナログ経路（アナログ入力端子）を備える。マイコン１８は、デフォルトの待機時間内にＨＤＭＩデータの音声信号が確定しない場合には、入力経路をＨＤＭＩからデジタルあるいはアナログに切り替えるとともに、待機時間をデフォルト値から調整する。待機時間を調整することで、不要な入力経路の切替を抑制する。【選択図】図１
2014013961.tif 000002
【特許請求の範囲】
【請求項１】
映像信号及び音声信号を含む第１信号用の第１信号経路と、
前記第１信号と異なる第２信号用の第２信号経路と、
入力された信号が前記第１信号であるか前記第２信号であるかに応じて前記第１信号経路と前記第２信号経路を自動的に切り替えて出力する切替制御手段と、
を備え、
前記切替制御手段は、入力された信号が前記第１信号と確定するまでの時間が待機時間内である場合に前記第１信号経路を選択し、入力された信号が前記第１信号と確定するまでの時間が前記待機時間を超える場合に前記第２信号経路に自動的に切り替え、かつ前記待機時間を調整する
ことを特徴とする映像音声処理装置。
【請求項２】
前記切替制御手段は、入力された信号が前記第１信号と確定するまでの時間に応じて前記待機時間を自動調整する
ことを特徴とする請求項１記載の映像音声処理装置。
【請求項３】
前記切替制御手段は、入力された信号が前記第１信号と確定するまでの時間で前記待機時間を置換することで調整する
ことを特徴とする請求項２記載の映像音声処理装置。
【請求項４】
前記切替制御手段は、入力された信号が前記第１信号と確定するまでの時間を統計処理して得られた時間で前記待機時間を置換することで調整する
ことを特徴とする請求項２記載の映像音声処理装置。
【請求項５】
前記切替制御手段は、前記待機時間に所定時間を加算することで調整する
ことを特徴とする請求項１記載の映像音声処理装置。
【請求項６】
ユーザ操作可能な操作手段をさらに備え、
前記切替制御手段は、前記操作手段による操作に応じて前記待機時間を調整する
ことを特徴とする請求項１記載の映像音声処理装置。
【請求項７】
前記第１信号はＨＤＭＩ信号であり、
前記第２信号はデジタル信号あるいはアナログ信号である
ことを特徴とする請求項１〜６のいずれかに記載の映像音声処理装置。
【発明の詳細な説明】
【技術分野】
【０００１】
本発明は映像音声処理装置に関し、特に入力経路の自動切替技術に関する。
【背景技術】
【０００２】
従来から、プレーヤに接続され、プレーヤからの映像信号や音声信号を処理して出力する映像音声処理装置（あるいは単に「レシーバ」と称する場合もある）において、音声信号の入力経路を装置側で自動的に切り替える機能が知られている。例えば、入力経路として、ＨＤＭＩ（High-Definition Multimedia Interface），デジタル，アナログの３経路を備え、ＨＤＭＩを最も優先順位が高い経路とし、続いて、デジタル、アナログの順に優先順位を高くして経路を自動的に切り替える。優先順位の高いものから低いものへ、あるいはその逆に優先順位の低いものから高いものへ自動的に切り替える際に、その入力経路に音声信号が入力されているか否かを判定する。この判定は、例えばＨＤＭＩデバイスからの音声信号が確定しているか否かのステータスや、ＤＩＲのＬＯＣＫステータスを参照して行い得る。
【０００３】
特許文献１には、データ構成が互いに異なるデジタルインターフェース信号を簡単な回路構成を用いて容易に切り替えて入力できるテレビジョン受像機を提供することを目的として、映像信号及び音声信号を含む第１デジタル信号を入力するために第１デジタルインターフェース端子と、映像データを含む第２デジタル信号を入力するための第２デジタルインターフェース端子を備え、第１、第２デジタルインターフェース端子に入力された信号の種類を判別し、その判別結果により自動的に第１デジタル信号と第２デジタル信号の一方を選択して出力する選択手段を備えることが記載されている。
【先行技術文献】
【特許文献】
【０００４】
【特許文献１】特開２００６−１９９４７号公報
【発明の概要】
【発明が解決しようとする課題】
【０００５】
ところで、入力経路を自動的に切り替える、具体的には優先順位の高いＨＤＭＩから優先順位の低いデジタル、さらにはアナログに切り替える際には、ＨＤＭＩデバイスからの音声信号が確定するか否かを何秒間待つかを設定する必要がある。すなわち、音声信号が確定するまでの時間は必ずしも一律ではなくＨＤＭＩデバイスに依存するため、適当な時間を待機時間として設定する必要がある。
【０００６】
例えば、待機時間として２秒〜５秒を設定した場合、音声信号が確定するまでの時間がこの待機時間以内であれば問題ないが、接続されるＨＤＭＩデバイスによっては音声信号が確定するまでの時間が待機時間を超える場合もあり、この場合には入力経路はその優先順位に従ってＨＤＭＩからデジタル、さらにはアナログに自動的に切り替えられることになる。デジタル入力やアナログ入力があるとこれらの音声が瞬間的に出力される。そして、ＨＤＭＩデバイスからの音声信号が確定すると、その時点で入力経路は再びＨＤＭＩに切り替わることになる。従って、接続されるデバイスによっては、たとえ瞬間的であってもデジタル音声やアナログ音声が出力されることで映像音声処理装置の品位が低下する問題が生じ得る。
【０００７】
また、音声信号が確定するまでの時間が待機時間を超え、入力経路が切り替えられる場合には、サラウンドモードが変化し、リレーの切替も発生することになる。リレーを切り替える際にはリレーの切替音が発生するため、頻繁に行われる入力経路切替によりリレーが「カチカチ」と鳴り、品質上望ましくないだけでなく、リレーの消耗にもつながる問題がある。
【０００８】
本発明の目的は、入力経路を自動的に切り替える際の待機時間として適当な時間を設定することができ、これにより品位の維持、あるいはリレーの切替音の発生を効果的に抑制し得る映像音声処理装置を提供することにある。
【課題を解決するための手段】
【０００９】
本発明の映像音声処理装置は、映像信号及び音声信号を含む第１信号用の第１信号経路と、前記第１信号と異なる第２信号用の第２信号経路と、入力された信号が前記第１信号であるか前記第２信号であるかに応じて前記第１信号経路と前記第２信号経路を自動的に切り替えて出力する切替制御手段とを備え、前記切替制御手段は、入力された信号が前記第１信号と確定するまでの時間が待機時間内である場合に前記第１信号経路を選択し、入力された信号が前記第１信号と確定するまでの時間が前記待機時間を超える場合に前記第２信号経路に自動的に切り替え、かつ前記待機時間を調整することを特徴とする。
【００１０】
本発明の１つの実施形態では、前記切替制御手段は、入力された信号が前記第１信号と確定するまでの時間に応じて前記待機時間を自動調整することを特徴とする。
【００１１】
本発明の他の実施形態では、前記切替制御手段は、入力された信号が前記第１信号と確定するまでの時間で前記待機時間を置換することで調整することを特徴とする。
【００１２】
本発明のさらに他の実施形態では、前記切替制御手段は、入力された信号が前記第１信号と確定するまでの時間を統計処理して得られた時間で前記待機時間を置換することで調整することを特徴とする。
【００１３】
本発明のさらに他の実施形態では、前記切替制御手段は、前記待機時間に所定時間を加算することで調整することを特徴とする。
【００１４】
本発明のさらに他の実施形態では、ユーザ操作可能な操作手段をさらに備え、前記切替制御手段は、前記操作手段による操作に応じて前記待機時間を調整することを特徴とする。
【００１５】
本発明において、前記第１信号はＨＤＭＩ信号とし、前記第２信号はデジタル信号あるいはアナログ信号とし得る。
【発明の効果】
【００１６】
本発明によれば、入力経路を自動的に切り替える際の待機時間を固定値とするのではなく、調整可能な可変値として適応的に設定することができるので、入力経路の不必要な切替を抑制して装置品位の維持、あるいはリレーの切替音の発生を効果的に抑制することができる。
【図面の簡単な説明】
【００１７】
【図１】実施形態に係る映像音声処理装置の構成ブロック図である。
【図２】第１実施形態の処理フローチャート（その１）である。
【図３】第１実施形態の処理フローチャート（その２）である。
【図４】第１実施形態の待機時間変化を示す説明図である。
【図５】第１実施形態の待機時間変化を示すグラフ図である。
【図６】第２実施形態の処理フローチャート（その１）である。
【図７】第２実施形態の処理フローチャート（その２）である。
【図８】第２実施形態の待機時間変化を示す説明図である。
【図９】第２実施形態の待機時間変化を示すグラフ図である。
【図１０】第３実施形態の処理フローチャートである。
【図１１】第４実施形態の処理フローチャートである。
【発明を実施するための形態】
【００１８】
以下、図面に基づき本発明の実施形態について説明する。
【００１９】
＜基本原理＞
まず、本実施形態の基本原理について説明する。
【００２０】
本実施形態の映像音声処理装置は、接続されるＢＤプレーヤ等のデバイス毎に音声信号が確定するまでの時間が異なることに鑑み、音声信号が確定して入力経路を自動的に切り替えるまでの待機時間を固定時間とするのではなく、適応的に変化する可変時間とすることを基本原理とする。
【００２１】
すなわち、映像音声処理装置の待機時間を固定値とすると、接続されるデバイスによってはその音声信号が確定するまでの時間が待機時間を超えてしまう場合があり、入力経路が自動的に切り替わってしまう。
【００２２】
そこで、本実施形態では、映像音声処理装置の待機時間を接続されるデバイス毎に可変とし、接続されるデバイスの音声信号の確定時間に合うように調整可能とする。待機時間を可変値として接続されるデバイスに合わせることで、待機時間内に音声信号が確定し易くなり、本来的に不必要な入力経路の切替を抑制することができる。
【００２３】
待機時間を可変調整する方法としては、いくつかの方法があり得る。第１に、待機時間を自動的に調整する方法であり、第２に、待機時間を手動で調整する方法である。また、待機時間を自動的に調整する方法にも、接続されるデバイスの音声信号が実際に確定するまでの時間に応じて適応的に増減調整する方法、あるいは所定時間を用いて待機時間を増減調整する方法があり得る。
【００２４】
映像音声処理装置のデフォルトの待機時間は、任意の値を設定することができ、例えば２秒〜５秒のいずれかの値に設定することができる。但し、本実施形態における待機時間のデフォルト値はこれに限定されるものではない。デフォルトの待機時間に対して実際に音声信号が確定するまでの時間が長く、デフォルトの待機時間を超えてしまう場合、デフォルトの待機時間は自動的に、あるいは手動で調整される。これにより、映像音声処理装置の待機時間は、接続されたデバイスの音声信号が確定するまでの実際の時間に適合するようになる。調整後の待機時間を用いて音声信号が確定するか否かを判定し、調整後の待機時間を超える場合には、調整後の待機時間をさらに再調整する。以上の処理を繰り返すことで、待機時間は順次調整され、接続されたデバイスの音声信号が確定するまでの実際の時間により適合するようになる。本実施形態では、
（１）待機時間を設定する
（２）設定した待機時間で音声信号の確定を判定する
（３）待機時間を超えて音声信号が確定した場合に、待機時間を調整する
の３つの処理を実行し、かつ、必要に応じてこれら（１）〜（３）の処理を繰り返し実行して待機時間を調整する。ここで、「必要に応じて」とは、（１）〜（３）の処理を繰り返す回数は任意に設定し得ることを意味する。すなわち、（１）〜（３）の処理を１回だけ実行してもよいし、あるいは所定回数だけ繰り返し実行してもよいし、あるいは所定の評価関数ないし評価値を用いて評価値が一致の値に達するまで繰り返し実行してもよい。
【００２５】
本実施形態における待機時間の調整は、接続されるデバイスに応じた処理であるから、接続されるデバイスが同一である場合に限り有効である。言い換えれば、接続されるデバイスが変わった場合には、調整された待機時間は無効となり、デフォルトの待機時間が初期設定される。
【００２６】
待機時間は、映像音声処理装置のマイコンあるいはプロセッサにより調整される。すなわち、映像音声処理装置のメモリに待機時間データが記憶されており、マイコンあるいはプロセッサがメモリから待機時間データを読み出して上記の（１）〜（３）の処理を実行する。
【００２７】
以上が本実施形態の基本原理であり、次に、具体的な実施形態について説明する。但し、各実施形態は例示であって、本発明は各実施形態に限定されるものではない。
【００２８】
＜第１実施形態＞
図１に、本実施形態における映像音声処理装置の構成ブロック図を示す。なお、以下の各実施形態では、映像音声処理装置の一例としてレシーバについて説明する。
【００２９】
本実施形態のレシーバ１０は、入力経路（あるいは入力端子）として３経路を備える。すなわち、ＨＤＭＩ信号を入力するＨＤＭＩ経路（ＨＤＭＩ入力端子）、デジタル信号（ＤＩＧＩＴＡＬ）を入力するデジタル経路（デジタル入力端子）、アナログ信号（ＡＮＡＬＯＧ）を入力するアナログ経路（アナログ入力端子）である。また、レシーバ１０は、これら３つの経路に加え、ＨＤＭＩＲＸ（ＨＤＭＩレシーバ）１２、ＤＩＲ（デジタルインターフェースレシーバ）１４、ＡＤＣ（アナログデジタルコンバータ）１６、マイコン１８、ＤＳＰ（デジタルシグナルプロセッサ）２０、ＤＡＣ（デジタルアナログコンバータ）２２、アナログスイッチ２４、ボリュームＩＣ２６、アンプ２８及びスピーカリレー３０を備える。
【００３０】
ＨＤＭＩ経路（ＨＤＭＩ入力端子）には、ＨＤＭＩデバイスとしてのプレーヤ５０が接続される。また、デジタル経路（デジタル入力端子）には、デジタルデバイスとしてのプレーヤ５２が接続される。さらに、アナログ経路（アナログ入力端子）には、アナログデバイスとしてのプレーヤ５４が接続される。プレーヤ５０，５２，５４は少なくともいずれかがレシーバ１０に接続されていればよく、全てがレシーバ１０に接続されていてもよい。プレーヤ５０，５２，５４は、例えばＢＤプレーヤ、ＤＶＤプレーヤ、ＶＴＲ，ＣＤプレーヤ等であり、プレーヤ５０，５２，５４は互いに同一プレーヤでもよく異なるプレーヤでもよい。例えば、プレーヤ５０をＨＤＭＩケーブルを介してＨＤＭＩ経路に接続するとともに、デジタルケーブルを介してデジタル経路に接続してもよい。
【００３１】
プレーヤ５０を再生して得られたＨＤＭＩデータは、レシーバ１０のＨＤＭＩＲＸ１２に供給される。ＨＤＭＩＲＸ１２は、ＨＤＭＩデータに含まれる映像信号から元の映像信号（ＨＤＭＩ変換前の映像信号）を生成するとともに、ＨＤＭＩデータに含まれる音声信号から元の音声信号（ＨＤＭＩ変換前の音声信号）を生成する。また、ＨＤＭＩＲＸ１２は、ＨＤＭＩデータに含まれる音声信号の確定処理を実行し、その結果をマイコン１８に出力する。音声信号の確定処理については、さらに後述する。ＨＤＭＩＲＸ１２は、生成した音声信号をＤＩＲ１４を介してＤＳＰ２０に出力する。生成した映像信号については、別の映像信号処理系に出力され処理される。
【００３２】
プレーヤ５２を再生して得られたデジタルデータは、ＤＩＲ１４に供給される。ＤＩＲ１４は、受信したデジタル信号をＤＳＰ２０に出力する。ＤＩＲ１４は、ＨＤＭＩＲＸ１２から出力される音声信号と、プレーヤ５２から出力される音声信号と、後述するＡＤＣ１６から出力される音声信号を選択的に切り替えて出力する。ＤＩＲ１４は、マイコン１８からの制御信号に従って、これら３つの音声信号を選択して出力する。
【００３３】
プレーヤ５４を再生して得られたアナログ信号は、ＡＤＣ１６に供給される。ＡＤＣ１６は、アナログ信号を所定ビット数のデジタル信号に変換し、ＤＩＲ１４を介してＤＳＰ２０に出力する。また、プレーヤ５４を再生して得られたアナログ信号は、分岐されて後述するアナログスイッチ２４に直接供給される（以下、これをアナログダイレクト信号と称する）。
【００３４】
ＤＳＰ２０は、３つの入力経路から入力された信号（以下、これらをＨＤＭＩ出力信号、デジタル出力信号、アナログ出力信号と称する）に対し、それぞれデコード処理、遅延処理、イコサイザ処理等の各種処理を実行し、処理済の信号をＤＡＣ２２に出力する。なお、本実施形態では、ＤＩＲ１４はＨＤＭＩＲＸ１２から出力される音声信号と、プレーヤ５２から出力される音声信号と、ＡＤＣ１６から出力される音声信号を選択的に切り替えてＤＳＰ２０に出力しているが、ＤＩＲ１４やＨＤＭＩＲＸ１２がデジタル信号を受けて直接ＤＡＣ２２に出力する構成としてもよい。
【００３５】
ＤＡＣ２２は、ＤＳＰ２０からの音声信号をアナログ信号に変換し、アナログスイッチ２４に出力する。
【００３６】
アナログスイッチ２４は、ＤＡＣ２２から出力されるアナログ信号と、プレーヤ５４からのアナログダイレクト信号を選択的に切り替えてボリュームＩＣ２６に出力する。アナログスイッチ２４は、マイコン１８からの制御信号に従って、２つの出力信号のいずれかを選択して出力する。
【００３７】
ボリュームＩＣ２６は、アナログスイッチ２４からの信号のボリューム（音量）を調整してアンプ２８に出力する。アンプ２８は、ボリュームＩＣ２６からの信号を増幅し、スピーカリレー３０に出力する。スピーカリレー３０は、アンプ２８で増幅された信号をスピーカに出力する。スピーカリレー３０も、マイコン１８からの制御信号に従って切替制御される。スピーカは、ＨＤＭＩ出力信号、デジタル出力信号、アナログ出力信号のいずれかを選択的にオーディオ信号として出力する。
【００３８】
本実施形態のレシーバ１０は、以上のような構成であり、ＨＤＭＩＲＸ１２でＨＤＭＩ経路（ＨＤＭＩ入力端子）から音声信号が入力されたことを確定してその確定情報をマイコン１８に供給する。マイコン１８は、切替制御手段として機能し、この確定情報に基づいてＤＩＲ１４並びにアナログスイッチ２４の切替を制御する。マイコン１８は、その内部メモリあるいは外部メモリにデフォルトの待機時間データを記憶しており、この待機時間の間にＨＤＭＩ経路の音声信号が確定したか否かを判定する。待機時間内に確定した場合、マイコン１８はＤＩＲ１４並びにアナログスイッチ２４がＨＤＭＩ出力信号を選択して出力するように制御する。一方、待機時間内に確定しない場合、マイコン１８は、ＤＩＲ１４並びにアナログスイッチ２４がデジタル出力信号あるいはアナログ出力信号を選択して出力するように制御する。さらに、マイコン１８は、待機時間内に確定しない場合、メモリに記憶されたデフォルトの待機時間データを、実際にＨＤＭＩ経路の音声信号が確定するまでの時間を用いて自動調整する。自動調整された待機時間データは、メモリに再度記憶され、次回の音声信号確定時の待機時間データとして用いられる。
【００３９】
図２及び図３に、本実施形態の処理フローチャートを示す。
【００４０】
まず、図２において、ＨＤＭＩ接続されたプレーヤ５０を再生する（Ｓ１０１）。なお、「ＨＤＭＩ接続された」とは、プレーヤ５０をレシーバ１０のＨＤＭＩ入力端子に接続することを意味する。
【００４１】
次に、マイコン１８は、ＨＤＭＩＲＸ１２からの情報に基づいて、ＨＤＭＩデータに含まれる映像信号の解像度を確定する（Ｓ１０２）。既述したように、ＨＤＭＩデータには映像信号が含まれており、ＨＤＭＩＲＸ１２は、ＨＤＭＩデータに含まれる映像信号を元の映像信号を生成するが、この際に、映像信号の解像度情報を取得し、マイコン１８に出力する。プレーヤ５０がＨＤＭＩ接続されていない場合、あるいはＨＤＭＩ接続されていてもＨＤＭＩデータが未だレシーバ１０に供給されていない場合、映像信号の解像度情報も存在しないから、マイコン１８は映像信号の解像度を確定することもない。そこで、マイコン１８は、この映像信号の解像度確定のタイミングをＨＤＭＩデータが入力されたタイミングとみなし、映像信号の解像度確定のタイミングで時間計測用タイマをスタートさせる。タイマの時間変数をＴｉｍｅ１とすると、このタイミングでＴｉｍｅ１をリセットしてカウントを開始する。タイマは、マイコン１８の備えるタイマ機能を用いればよい。
【００４２】
次に、マイコン１８は、ＨＤＭＩＲＸ１２で音声信号の入力を確定するまで、所定の待機時間だけ待機する（Ｓ１０３）。所定の待機時間は、メモリに記憶されたデフォルトの待機時間であり、例えば２秒〜５秒の間のいずれかの時間（本実施形態では２秒とする）に設定される。待機時間は、プレーヤによって音声信号を出力するタイミングが異なることに鑑みてレシーバ１０側が備える制御パラメータの一つであり、予め複数の入力経路の間に優先順位を設定しておき、その優先順位に従って経路を切り替えるための時間である。すなわち、入力経路の優先順位は、ＨＤＭＩ＞デジタル＞アナログであり、レシーバ１０はＨＤＭＩ経路を優先的に選択してこの経路の音声信号を優先的に処理してオーディオ出力する。但し、一定時間経過してもＨＤＭＩの音声信号が入力されない場合には、その期間は無音出力となるため望ましくない。そこで、ユーザの利便性を考慮し、一定時間経過してもＨＤＭＩの音声信号が入力されない場合には、レシーバ１０は入力経路を優先順位の低いデジタルあるいはアナログに自動的に切り替えてオーディオ出力する。信号経路を自動的に切り替えるための一定時間が待機時間である。
【００４３】
ＨＤＭＩＲＸ１２は、ＨＤＭＩデータに含まれる音声信号を抽出すると、そのタイミングで音声信号の確定情報をマイコン１８に出力する。マイコン１８は、ＨＤＭＩＲＸ１２からの音声信号確定情報を受信すると、そのタイミングでタイマを停止し、映像信号の解像度確定から音声信号確定までに要した時間Ｔｉｍｅ１を実際に音声信号が確定するまでの時間として計測する。
【００４４】
マイコン１８は、実際に音声信号が確定するまでの時間Ｔｉｍｅ１とデフォルトの待機時間（２秒＝２０００ｍｓｅｃ）とを大小比較し（Ｓ１０４）、実際に音声信号が確定するまでの時間Ｔｉｍｅ１がデフォルトの待機時間以内である場合、ＨＤＭＩ経路の音声信号が確定したと判定し（Ｓ１０５）、このときの時間をＴｉｍｅ１Ｂとしてメモリに記憶して経路をＨＤＭＩに切り替える（Ｓ１０６）。すなわち、マイコン１８は、ＤＩＲ１４並びにアナログスイッチ２４に制御信号を出力してＨＤＭＩ出力信号を選択して出力させるように制御する。これにより、レシーバ１０のスピーカからＨＤＭＩ出力信号が出力される。デフォルトの待機時間以内にＨＤＭＩ経路の音声信号が確定したため、経路はＨＤＭＩ経路のままであり、経路の切替は行われない。その後、プレーヤ５０を停止し、あるいはＨＤＭＩ接続を解除すると、オーディオ出力も停止する（Ｓ１０７）。
【００４５】
プレーヤ５０を停止し、あるいはＨＤＭＩ接続を解除した後、再び同一プレーヤ５０を
同一ＨＤＭＩ入力端子に接続して再生すると（Ｓ１０８）、マイコン１８は再びＨＤＭＩＲＸ１２からの解像度情報に応じて映像信号の解像度を確定し（Ｓ１０９）、このタイミングでタイマを再びスタートさせる。そして、音声信号が確定するまで待機時間だけ待機する（Ｓ１１０）。このときの待機時間は、Ｓ１０５でメモリに記憶したＴｉｍｅ１Ｂであり、実際に音声信号が確定するまでの時間である。マイコン１８はメモリからＴｉｍｅ１Ｂを読み出し、これを新たな待機時間に設定して音声信号の確定を待つ。以後は同様の処理を繰り返す。
【００４６】
一方、Ｓ１０４でＹＥＳ、つまりデフォルトの待機時間だけ待機しても音声信号が確定しない場合には、マイコン１８は、一旦、入力経路をＨＤＭＩからデジタルあるいはアナログ経路に切り替える（Ｓ１１１）。すなわち、マイコン１８は、ＤＩＲ１４並びにアナログスイッチ２４に制御信号を出力し、デジタル出力信号あるいはアナログ出力信号を選択して出力するように制御する。これにより、レシーバ１０のスピーカからは、一旦、デジタル出力信号あるいはアナログ出力信号が出力される。
【００４７】
ＨＤＭＩからデジタルあるいはアナログに入力経路を切り替えた後、ＨＤＭＩＲＸ１２でＨＤＭＩデータに含まれる音声信号を抽出して音声信号の確定情報をマイコン１８に出力すると、マイコン１８は、確定情報を受信したタイミングで音声信号が確定したものと判定し（Ｓ１１２）、このタイミングでタイマを停止し、実際に音声信号が確定するまでの時間を計測する。マイコン１８は、このときの時間をＴｉｍｅ１Ａとしてメモリに記憶する。また、マイコン１８は、ＨＤＭＩの音声信号が確定したため、Ｓ１１１で一旦切り替えたデジタルあるいはアナログ経路を再びＨＤＭＩ経路に切り替える（Ｓ１１３）。すなわち、マイコン１８は、ＤＩＲ１４並びにアナログスイッチ２４に制御信号を出力し、ＨＤＭＩ出力信号を選択して出力するように制御する。これにより、レシーバ１０のスピーカからＨＤＭＩ出力信号が出力される。その後、プレーヤ５０を停止し、あるいはＨＤＭＩ接続を解除すると、オーディオ出力も停止する（Ｓ１１４）。
【００４８】
プレーヤ５０を停止し、あるいはＨＤＭＩ接続を解除した後、再び同一プレーヤ５０を
同一ＨＤＭＩ入力端子に接続して再生すると（Ｓ１１５）、マイコン１８は再びＨＤＭＩＲＸ１２からの解像度情報に応じて映像信号の解像度を確定し（Ｓ１１６）、このタイミングでタイマを再びスタートさせる。そして、音声信号が確定するまで待機時間だけ待機する（Ｓ１１７）。このときの待機時間は、Ｓ１１２でメモリに記憶したＴｉｍｅ１Ａであり、実際に音声信号が確定するまでの時間である。マイコン１８はメモリからＴｉｍｅ１Ａを読み出し、これを新たな待機時間に設定して音声信号の確定を待つ。Ｔｉｍｅ１ＡとＴｉｍｅ１Ｂの値は異なることに留意されたい。Ｔｉｍｅ１Ａは実際に音声信号が確定するまでの時間がデフォルトの待機時間である２０００ｍｓｅｃを超えた場合の時間であり、Ｔｉｍｅ１Ａ＞２０００ｍｓｅｃである。一方、Ｔｉｍｅ１Ｂは実際に音声信号が確定するまでの時間がデフォルトの待機時間である２０００ｍｓｅｃ以内の時間であり、２０００ｍｓｅｃ≧Ｔｉｍｅ１Ｂである。
【００４９】
次に、図３に進み、マイコン１８は、実際に音声信号が確定するまでの時間と調整後の待機時間Ｔｉｍｅ１Ａとを大小比較し、実際に音声信号が確定するまでの時間が調整後の待機時間Ｔｉｍｅ１Ａ以内である場合、ＨＤＭＩ経路の音声信号が確定したと判定し（Ｓ１１９）、このときの時間をＴｉｍｅ２Ｂとしてメモリに記憶して入力経路をＨＤＭＩに切り替える（Ｓ１２０）。すなわち、マイコン１８は、ＤＩＲ１４並びにアナログスイッチ２４に制御信号を出力してＨＤＭＩ出力信号を選択して出力させるように制御する。これにより、レシーバ１０のスピーカからＨＤＭＩ出力信号が出力される。その後、プレーヤ５０を停止し、あるいはＨＤＭＩ接続を解除すると、オーディオ出力も停止する（Ｓ１２１）。
【００５０】
プレーヤ５０を停止し、あるいはＨＤＭＩ接続を解除した後、再び同一プレーヤ５０を
同一ＨＤＭＩ入力端子に接続して再生すると（Ｓ１２２）、マイコン１８は再びＨＤＭＩＲＸ１２からの解像度情報に応じて映像信号の解像度を確定し（Ｓ１２３）、このタイミングでタイマを再びスタートさせる。そして、音声信号が確定するまで待機時間だけ待機する（Ｓ１２４）。このときの待機時間は、Ｓ１１９でメモリに記憶したＴｉｍｅ２Ｂであり、実際に音声信号が確定するまでの時間である。
【００５１】
一方、Ｓ１１８でＹＥＳ、つまり待機時間Ｔｉｍｅ１Ａだけ待機しても音声信号が確定しない場合には、マイコン１８は、一旦、入力経路をＨＤＭＩからデジタルあるいはアナログ経路に切り替える（Ｓ１２５）。すなわち、マイコン１８は、ＤＩＲ１４並びにアナログスイッチ２４に制御信号を出力し、デジタル出力信号あるいはアナログ出力信号を選択して出力するように制御する。これにより、レシーバ１０のスピーカからは、一旦、デジタル出力信号あるいはアナログ出力信号が出力される。
【００５２】
ＨＤＭＩからデジタルあるいはアナログに入力経路を切り替えた後、ＨＤＭＩＲＸ１２でＨＤＭＩデータに含まれる音声信号を抽出して音声信号の確定情報をマイコン１８に出力すると、マイコン１８は、確定情報を受信したタイミングで音声信号が確定したものと判定し（Ｓ１２６）、このタイミングでタイマを停止し、実際に音声信号が確定するまでの時間を計測する。マイコン１８は、このときの時間をＴｉｍｅ２Ａとしてメモリに記憶する。また、マイコン１８は、ＨＤＭＩの音声信号が確定したため、Ｓ１２５で一旦切り替えたデジタルあるいはアナログ経路を再びＨＤＭＩ経路に切り替える（Ｓ１２７）。すなわち、マイコン１８は、ＤＩＲ１４並びにアナログスイッチ２４に制御信号を出力し、ＨＤＭＩ出力信号を選択して出力するように制御する。これにより、レシーバ１０のスピーカからＨＤＭＩ出力信号が出力される。その後、同様の処理を繰り返す。
【００５３】
以上のようにして、実際に音声信号が確定するまでの時間が待機時間を超えている場合には、実際に音声信号が確定するまでの時間がＴｉｍｅ１Ａ，Ｔｉｍｅ２Ａ，・・・として順次メモリに記憶されていく。また、実際に音声信号が確定するまでの時間が待機時間以内の場合には、実際に音声信号が確定するまでの時間がＴｉｍｅ１Ｂ，Ｔｉｍｅ２Ｂ，・・・として順次メモリに記憶されていく。メモリに順次記憶されていくＴｉｍｅ１Ａ，Ｔｉｍｅ２Ａ，・・・，及びＴｉｍｅ１Ｂ，Ｔｉｍｅ２Ｂ，・・・は、それぞれメモリの異なるアドレスに記憶してもよく、同一アドレスに上書きして記憶してもよい。
【００５４】
Ｔｉｍｅ１Ａはデフォルトの待機時間（２０００ｍｓｅｃ）よりも大きく、Ｔｉｍｅ２Ａは調整された待機時間Ｔｉｍｅ１Ａよりもさらに大きい。従って、Ｔｉｍｅ１Ａ，Ｔｉｍｅ２Ａ，Ｔｉｍｅ３Ａ，・・は順次大きくなる。一般化してＴｉｍｅαＡ（α＝１，２，３，４，・・・）とすると、ＴｉｍｅαＡは、実際に音声信号が確定するまでの時間に等しいかそれよりも大きく、実際に音声信号が確定するまでの時間がＴｉｍｅαＡ以下となった場合に、ＴｉｍｅαＡの増大調整は終了する。
【００５５】
同様に、Ｔｉｍｅ１Ｂはデフォルトの待機時間（２０００ｍｓｅｃ）よりも小さく、Ｔｉｍｅ２Ｂは調整された待機時間Ｔｉｍｅ１Ｂよりもさらに小さい。従って、Ｔｉｍｅ１Ｂ，Ｔｉｍｅ２Ｂ，Ｔｉｍｅ３Ｂ，・・は順次小さくなる。一般化してＴｉｍｅαＢ（α＝１，２，３，４，・・・）とすると、ＴｉｍｅαＢは、実際に音声信号が確定するまでの時間に等しいかそれよりも小さく、実際に音声信号が確定するまでの時間がＴｉｍｅαＢ以上となった場合に、ＴｉｍｅαＢの減少調整は終了する。
【００５６】
図２及び図３の処理をより具体的に説明すると、以下の通りである。すなわち、ユーザがプレーヤ５０をＨＤＭＩ入力端子に接続するとともに、デジタル入力端子に接続する。プレーヤ５０のＨＤＭＩ経路の音声信号が確定するまでに４０００ｍｓｅｃ要するものとすると、デフォルトの待機時間である２０００ｍｓｅｃを超えているので、一旦、ＤＩＲ１４並びにアナログスイッチ２４がデジタル出力信号に切り替わり、デジタル出力信号がオーディオ出力される。また、サラウンドモードの変化に伴ってスピーカリレー３０も切り替わる。その後、ＨＤＭＩ経路の音声信号が確定すると、ＤＩＲ１４並びにアナログスイッチ２４がＨＤＭＩ出力信号に切り替わり、ＨＤＭＩ出力信号がオーディオ出力される。スピーカリレー３０も同様に切り替わる。マイコン１８は、メモリに記憶されたデフォルトの待機時間である２０００ｍｓｅｃを、実際に音声信号が確定するまでの時間として計測された４０００ｍｓｅｃに調整（更新）してメモリに記憶する。ユーザがプレーヤ５０の再生を停止し、その後、再生を再開した場合、マイコン１８は、新たな待機時間として、メモリに記憶された調整後の待機時間である４０００ｍｓｅｃを用いる。プレーヤ５０のＨＤＭＩの音声信号が確定するまでの時間が４０００ｍｓｅｃであるため、調整された待機時間以内で音声信号が確定することになり、入力経路としてＨＤＭＩ経路が選択されたままＨＤＭＩ出力信号がオーディオ出力されることになる。つまり、プレーヤ５０を１回目に再生するときのみ入力経路がＨＤＭＩからデジタルに切り替わるが、２回目以降に再生するときには入力経路の切替は生じない。
【００５７】
なお、プレーヤ５０を２回目に再生した場合に、何らかの理由によりＨＤＭＩの音声信号が確定するまでの時間が５０００ｍｓｅｃであったとすると、調整後の待機時間を超えているので、一旦、ＤＩＲ１４並びにアナログスイッチ２４がデジタル出力信号に切り替わり、デジタル出力信号がオーディオ出力される。マイコン１８は、メモリに記憶された調整後の待機時間である４０００ｍｓｅｃを、実際に音声信号が確定するまでの時間として計測された５０００ｍｓｅｃに調整（更新）してメモリに記憶する。ユーザがプレーヤ５０の再生を停止し、その後、再生を再開した場合（３回目の再生）、マイコン１８は、新たな待機時間として、メモリに記憶された調整後の待機時間である５０００ｍｓｅｃを用いる。
【００５８】
また、プレーヤ５０のＨＤＭＩ経路の音声信号が確定するまでに１５００ｍｓｅｃ要するものとすると、デフォルトの待機時間である２０００ｍｓｅｃ以内であるため、ＨＤＭＩ出力信号がオーディオ出力される。マイコン１８は、メモリに記憶されたデフォルトの待機時間である２０００ｍｓｅｃを、実際に音声信号が確定するまでの時間として計測された１５００ｍｓｅｃに調整してメモリに記憶する。ユーザがプレーヤ５０の再生を停止し、その後、再生を再開した場合、マイコン１８は、新たな待機時間として、メモリに記憶された調整後の待機時間である１５００ｍｓｅｃを用いる。プレーヤ５０のＨＤＭＩの音声信号が確定するまでの時間が１５００ｍｓｅｃであるため、調整された待機時間以内で音声信号が確定することになり、入力経路としてＨＤＭＩ経路が選択されたままＨＤＭＩ出力信号がオーディオ出力されることになる。この場合、入力経路の切替が生じないのみならず、プレーヤ５０の２回目の再生では、待機時間が２０００ｍｓｅｃから１５００ｍｓｅｃに短縮しているため、その分だけ迅速にＨＤＭＩ出力信号がオーディオ出力される。
【００５９】
以上のように、実際に音声信号が確定するまでの時間を計測し、計測して得られた時間を用いて待機時間を増減調整する。待機時間を増大調整することで、入力経路の不必要な切替を抑制できる。また、待機時間を減少調整することで、不必要な待機時間をなくし、迅速にＨＤＭＩ出力信号をオーディオ出力できる。
【００６０】
図４に、本実施形態における待機時間の変化の一例を、入力経路の切替の有無とともに示す。図において、左から右に向けて、順次、プレーヤ５０の再生回数（回）、音声未確定から確定までの時間（ｍｓｅｃ）、音声確定を待つ待機時間（ｍｓｅｃ）、音声未確定から確定までの時間と待機時間との大小関係、ＤＩＲ１４並びにアナログスイッチ２４での不要な経路切替発生の有無、及びスピーカリレー３０でのリレー切替発生の有無を示す。
【００６１】
１回目の再生では、音声未確定から確定までの時間が３０００ｍｓｅｃであり、デフォルトの待機時間が２０００ｍｓｅｃであるとすると、音声信号の確定までの時間の方が大きいから、不要な経路切替が発生し、かつ、リレー切替音も発生する。このとき、マイコン１８は、待機時間としてデフォルトの待機時間である２０００ｍｓｅｃを３０００ｍｓｅｃに増大調整してメモリに記憶する。
【００６２】
２回目の再生では、音声未確定から確定までの時間が２７００ｍｓｅｃであるとすると、調整後の待機時間は３０００ｍｓｅｃであるから、音声信号の確定までの時間の方が小さく、不要な経路切替は発生せず、かつ、リレー切替音も生じない。このとき、マイコン１８は、待機時間として調整後の待機時間である３０００ｍｓｅｃを２７００ｍｓｅｃに減少調整してメモリに記憶する。
【００６３】
３回目の再生では、音声未確定から確定までの時間が２６００ｍｓｅｃであるとすると、調整後の待機時間は２７００ｍｓｅｃであるから、音声信号の確定までの時間の方が小さく、不要な経路切替は発生せず、かつ、リレー切替音も生じない。このとき、マイコン１８は、待機時間として調整後の待機時間である２７００ｍｓｅｃを２６００ｍｓｅｃに減少調整してメモリに記憶する。
【００６４】
４回目の再生では、音声未確定から確定までの時間が２５００ｍｓｅｃであるとすると、調整後の待機時間は２６００ｍｓｅｃであるから、音声信号の確定までの時間の方が小さく、不要な経路切替は発生せず、かつ、リレー切替音も生じない。このとき、マイコン１８は、待機時間として調整後の待機時間である２６００ｍｓｅｃを２５００ｍｓｅｃに減少調整してメモリに記憶する。
【００６５】
５回目の再生では、音声未確定から確定までの時間が２４００ｍｓｅｃであるとすると、調整後の待機時間は２５００ｍｓｅｃであるから、音声信号の確定までの時間の方が小さく、不要な経路切替は発生せず、かつ、リレー切替音も生じない。このとき、マイコン１８は、待機時間として調整後の待機時間である２５００ｍｓｅｃを２４００ｍｓｅｃに減少調整してメモリに記憶する。
【００６６】
図５に、図４における音声未確定から確定までの時間及び待機時間をプロットしてグラフに示す。図中、音声未確定から確定までの時間を符号１００で示し、待機時間を符号１０２で示す。待機時間１０２に着目すると、デフォルトの２０００ｍｓｅｃから符号１００で示す実際の音声信号確定までの時間に適合するように順次変化していくことが分かる。
【００６７】
なお、本実施形態において、待機時間の調整回数に上限を設けることもできる。例えば、調整回数を５回までとし、待機時間を５回調整した後は、もはや調整することなく５回目の調整後の待機時間をそのまま継続して用いる等である。もちろん、ＨＤＭＩ接続されるプレーヤ５０が変わった場合には、待機時間は再調整されることは言うまでもない。また、調整前の待機時間と調整後の待機時間の差分値が所定の範囲内にある場合に、待機時間の調整値が「収束」したものとみなして、その時点で調整を終了することも可能である。もちろん、待機時間が収束したか否かの判定には、差分値のみならず他のパラメータを用いることが可能であり、ある値が統計的に収束したか否かを判定するための公知の判定方法を用いることができる。
【００６８】
本実施形態では、ＨＤＭＩＲＸ１２において映像信号の解像度を確定し、かつ、音声信号を確定してマイコン１８に供給し、マイコン１８はこれら２つの確定信号を受信することで実際に音声信号が確定するまでの時間を計測しているが、映像信号の解像度が確定したタイミングを計測開始タイミングとすることで、実際に音声信号が確定するまでの時間を客観的かつ一義的に計測できる利点がある。
【００６９】
＜第２実施形態＞
本実施形態では、実際に音声信号が確定するまでの時間を統計処理し、統計処理して得られた時間を用いて待機時間を調整する例について説明する。
【００７０】
図６及び図７に、本実施形態の処理フローチャートを示す。
【００７１】
まず、図６において、統計処理するためのループを設定する（Ｓ２０１）。例えば、ループ回数を示す変数Ｋを０に初期化し、変数Ｋ＜４に設定する。次に、ＨＤＭＩ接続されたプレーヤ５０を再生する（Ｓ２０２）。マイコン１８は、ＨＤＭＩＲＸ１２からの情報に基づいて、ＨＤＭＩデータに含まれる映像信号の解像度を確定する（Ｓ２０３）。マイコン１８は、映像信号の解像度確定のタイミングをＨＤＭＩデータが入力されたタイミングとみなし、映像信号の解像度確定のタイミングでタイマをスタートさせる。タイマの時間変数をＴｉｍｅＫとすると、このタイミングでＴｉｍｅＫをリセットしてカウントを開始する。ＴｉｍｅＫにおける変数Ｋの初期値はＫ＝０であるから、このときの時間変数ＴｉｍｅＫはＴｉｍｅ０である。
【００７２】
次に、マイコン１８は、ＨＤＭＩＲＸ１２で音声信号の入力を確定するまで、所定の待機時間だけ待機する（Ｓ２０４）。所定の待機時間は、メモリに記憶されたデフォルトの待機時間であり、例えば２秒〜５秒の間のいずれかの時間（本実施形態では２秒とする）に設定される。ＨＤＭＩＲＸ１２は、ＨＤＭＩデータに含まれる音声信号を抽出すると、そのタイミングで音声信号の確定情報をマイコン１８に出力する。マイコン１８は、ＨＤＭＩＲＸ１２からの音声信号確定情報を受信すると、そのタイミングでタイマを停止し、映像信号の解像度確定から音声信号確定までに要した時間ＴｉｍｅＫを実際に音声信号が確定するまでの時間として計測する。
【００７３】
マイコン１８は、実際に音声信号が確定するまでの時間ＴｉｍｅＫとデフォルトの待機時間（２秒＝２０００ｍｓｅｃ）とを大小比較し（Ｓ２０５）、実際に音声信号が確定するまでの時間ＴｉｍｅＫがデフォルトの待機時間以内である場合、ＨＤＭＩ経路の音声信号が確定したと判定し（Ｓ２０６）、このときの時間ＴｉｍｅＫをメモリに記憶して入力経路をＨＤＭＩに切り替える（Ｓ２０７）。すなわち、マイコン１８は、ＤＩＲ１４並びにアナログスイッチ２４に制御信号を出力してＨＤＭＩ出力信号を選択して出力させるように制御する。これにより、レシーバ１０のスピーカからＨＤＭＩ出力信号が出力される。デフォルトの待機時間以内にＨＤＭＩ経路の音声信号が確定したため、入力経路はＨＤＭＩ経路のままであり、入力経路の切替は行われない。その後、プレーヤ５０を停止し、あるいはＨＤＭＩ接続を解除すると、オーディオ出力も停止する（Ｓ２１２）。
【００７４】
一方、Ｓ２０５でＹＥＳ、つまりデフォルトの待機時間だけ待機しても音声信号が確定しない場合には、マイコン１８は、一旦、入力経路をＨＤＭＩからデジタルあるいはアナログ経路に切り替える（Ｓ２０８）。すなわち、マイコン１８は、ＤＩＲ１４並びにアナログスイッチ２４に制御信号を出力し、デジタル出力信号あるいはアナログ出力信号を選択して出力するように制御する。これにより、レシーバ１０のスピーカからは、一旦、デジタル出力信号あるいはアナログ出力信号が出力される。
【００７５】
ＨＤＭＩからデジタルあるいはアナログに入力経路を切り替えた後、ＨＤＭＩＲＸ１２でＨＤＭＩデータに含まれる音声信号を抽出して音声信号の確定情報をマイコン１８に出力すると、マイコン１８は、確定情報を受信したタイミングで音声信号が確定したものと判定し（Ｓ２０９）、このタイミングでタイマを停止し、実際に音声信号が確定するまでの時間ＴｉｍｅＫを計測してメモリに記憶する。また、マイコン１８は、ＨＤＭＩの音声信号が確定したため、Ｓ２０８で一旦切り替えたデジタルあるいはアナログ経路を再びＨＤＭＩ経路に切り替える（Ｓ２１０）。すなわち、マイコン１８は、ＤＩＲ１４並びにアナログスイッチ２４に制御信号を出力し、ＨＤＭＩ出力信号を選択して出力するように制御する。これにより、レシーバ１０のスピーカからＨＤＭＩ出力信号が出力される。その後、プレーヤ５０を停止し、あるいはＨＤＭＩ接続を解除すると、オーディオ出力も停止する（Ｓ２１１）。
【００７６】
以上のＳ２０２〜Ｓ２１１までの処理を、ループ回数だけ繰り返す（Ｓ２１２）。本実施形態では、Ｋ＜４であるから、ループを４回繰り返す。これにより、マイコン１８のメモリ（内部メモリあるいは外部メモリ）には、実際に音声信号が確定するまでの時間としてＴｉｍｅ０、Ｔｉｍｅ１、Ｔｉｍｅ２、Ｔｉｍｅ３の４つの値が記憶される。
【００７７】
必要な数だけループを繰り返し、複数の時間がメモリに記憶された後、マイコン１８は、Ｔｉｍｅ０、Ｔｉｍｅ１、Ｔｉｍｅ２、Ｔｉｍｅ３をメモリから読み出してこれらの平均時間を算出する（Ｓ２１３）。そして、算出した平均時間をＴｉｍｅＬとしてメモリに記憶する（Ｓ２１４）。
【００７８】
次に、図７に進み、再び同一プレーヤ５０を再生すると（Ｓ２１５）、マイコン１８は再びＨＤＭＩＲＸ１２からの解像度情報に応じて映像信号の解像度を確定し（Ｓ２１６）、このタイミングでタイマを再びスタートさせる。そして、音声信号が確定するまで待機時間だけ待機する（Ｓ２１７）。このときの待機時間は、Ｓ２１４でメモリに記憶したＴｉｍｅＬであり、実際に音声信号が確定するまでの時間の平均時間である。マイコン１８はメモリからＴｉｍｅＬを読み出し、これを新たな待機時間に設定して音声信号の確定を待つ。
マイコン１８は、実際に音声信号が確定するまでの時間ＴｉｍｅＭと調整後の待機時間ＴｉｍｅＬとを大小比較し（Ｓ２１７）、実際に音声信号が確定するまでの時間ＴｉｍｅＭが調整後の待機時間ＴｉｍｅＬ以内である場合、ＨＤＭＩ経路の音声信号が確定したと判定し（Ｓ２１９）、入力経路をＨＤＭＩに切り替える（Ｓ２２０）。すなわち、マイコン１８は、ＤＩＲ１４並びにアナログスイッチ２４に制御信号を出力してＨＤＭＩ出力信号を選択して出力させるように制御する。これにより、レシーバ１０のスピーカからＨＤＭＩ出力信号が出力される。
【００７９】
一方、Ｓ２１８でＹＥＳ、すなわち調整後の待機時間ＴｉｍｅＬだけ待機しても音声信号が確定しない場合には、マイコン１８は、一旦、入力経路をＨＤＭＩからデジタルあるいはアナログ経路に切り替える（Ｓ２２１）。すなわち、マイコン１８は、ＤＩＲ１４並びにアナログスイッチ２４に制御信号を出力し、デジタル出力信号あるいはアナログ出力信号を選択して出力するように制御する。これにより、レシーバ１０のスピーカからは、一旦、デジタル出力信号あるいはアナログ出力信号が出力される。
【００８０】
ＨＤＭＩからデジタルあるいはアナログに入力経路を切り替えた後、ＨＤＭＩＲＸ１２でＨＤＭＩデータに含まれる音声信号を抽出して音声信号の確定情報をマイコン１８に出力すると、マイコン１８は、確定情報を受信したタイミングで音声信号が確定したものと判定し（Ｓ２２２）、Ｓ２２１で一旦切り替えたデジタルあるいはアナログ経路を再びＨＤＭＩ経路に切り替える（Ｓ２２３）。すなわち、マイコン１８は、ＤＩＲ１４並びにアナログスイッチ２４に制御信号を出力し、ＨＤＭＩ出力信号を選択して出力するように制御する。これにより、レシーバ１０のスピーカからＨＤＭＩ出力信号が出力される。
【００８１】
図８に、本実施形態における待機時間の変化の一例を、入力経路の切替の有無とともに示す。図において、左から右に向けて、順次、プレーヤ５０の再生回数（回）、音声未確定から確定までの時間（ｍｓｅｃ）、音声確定を待つ待機時間（ｍｓｅｃ）、音声未確定から確定までの時間と待機時間との大小関係、ＤＩＲ１４並びにアナログスイッチ２４での不要な経路切替発生の有無、及びスピーカリレー３０でのリレー切替発生の有無を示す。
【００８２】
１回目の再生では、音声未確定から確定までの時間が２５００ｍｓｅｃであり、デフォルトの待機時間が２０００ｍｓｅｃであるとすると、音声信号の確定までの時間の方が大きいから、不要な経路切替が発生し、かつ、リレー切替音も発生する。マイコン１８は、Ｔｉｍｅ０として２５００ｍｓｅｃをメモリに記憶する。
【００８３】
２回目の再生では、音声未確定から確定までの時間が３０００ｍｓｅｃであるとすると、デフォルトの待機時間は２０００ｍｓｅｃであるから、音声信号の確定までの時間の方が大きく、不要な経路切替が発生し、かつ、リレー切替音も発生する。マイコン１８は、Ｔｉｍｅ１として３０００ｍｓｅｃをメモリに記憶する。
【００８４】
３回目の再生では、音声未確定から確定までの時間が２４００ｍｓｅｃであるとすると、デフォルトの待機時間は２０００ｍｓｅｃであるから、音声信号の確定までの時間の方が大きく、不要な経路切替が発生し、かつ、リレー切替音も発生する。マイコン１８は、Ｔｉｍｅ２として２４００ｍｓｅｃをメモリに記憶する。
【００８５】
４回目の再生では、音声未確定から確定までの時間が２３００ｍｓｅｃであるとすると、デフォルトの待機時間は２０００ｍｓｅｃであるから、音声信号の確定までの時間の方が大きく、不要な経路切替が発生し、かつ、リレー切替音も発生する。マイコン１８は、Ｔｉｍｅ３として２３００ｍｓｅｃをメモリに記憶する。
【００８６】
マイコン１８は、４回目の再生の後、Ｔｉｍｅ０〜Ｔｉｍｅ３の平均時間であるＴｉｍｅＬ＝２５５０ｍｓｅｃを算出してメモリに記憶する。
【００８７】
５回目の再生では、音声未確定から確定までの時間が２３００ｍｓｅｃであるとすると、調整後の待機時間は２５５０ｍｓｅｃであるから、音声信号の確定までの時間の方が小さく、不要な経路切替は発生せず、リレー切替音も生じない。
【００８８】
図９に、図８における音声未確定から確定までの時間及び待機時間をプロットしてグラフに示す。図中、音声未確定から確定までの時間を符号１００で示し、待機時間を符号１０４で示す。待機時間１０４に着目すると、再生回数が４回まではデフォルトの２０００ｍｓｅｃで一定であるが、再生回数５回目からは符号１００で示す実際の音声信号確定までの時間に適合するように変化することが分かる。
【００８９】
本実施形態では、音声信号が確定するまでの時間を４回計測し、これら４つの計測時間の統計処理として平均値を用いているが、平均値の代わりに中間値を用いてもよい。
【００９０】
＜第３実施形態＞
本実施形態では、デフォルトの待機時間に所定時間を加算あるいは減算することで待機時間を調整する例について説明する。
【００９１】
図１０に、本実施形態の処理フローチャートを示す。まず、ＨＤＭＩ接続されたプレーヤ５０を再生する（Ｓ３０１）。次に、マイコン１８は、ＨＤＭＩＲＸ１２からの情報に基づいて、ＨＤＭＩデータに含まれる映像信号の解像度を確定する（Ｓ３０２）。マイコン１８は、この映像信号の解像度確定のタイミングをＨＤＭＩデータが入力されたタイミングとみなし、映像信号の解像度確定のタイミングでタイマをスタートさせる。タイマの時間変数をＴｉｍｅ１とすると、このタイミングでＴｉｍｅ１をリセットしてカウントを開始する。
【００９２】
次に、マイコン１８は、ＨＤＭＩＲＸ１２で音声信号の入力を確定するまで、所定の待機時間だけ待機する（Ｓ３０３）。所定の待機時間は、メモリに記憶されたデフォルトの待機時間であり、例えば２秒〜５秒の間のいずれかの時間（本実施形態では２秒とする）に設定される。ＨＤＭＩＲＸ１２は、ＨＤＭＩデータに含まれる音声信号を抽出すると、そのタイミングで音声信号の確定情報をマイコン１８に出力する。マイコン１８は、ＨＤＭＩＲＸ１２からの音声信号確定情報を受信すると、そのタイミングでタイマを停止し、映像信号の解像度確定から音声信号確定までに要した時間Ｔｉｍｅ１を実際に音声信号が確定するまでの時間として計測する。
【００９３】
マイコン１８は、実際に音声信号が確定するまでの時間Ｔｉｍｅ１とデフォルトの待機時間（２秒＝２０００ｍｓｅｃ）とを大小比較し（Ｓ３０４）、実際に音声信号が確定するまでの時間Ｔｉｍｅ１がデフォルトの待機時間以内である場合、待機時間を現状のまま維持して調整しない。入力経路もＨＤＭＩのままである。
【００９４】
一方、Ｓ３０４でＹＥＳ、つまりデフォルトの待機時間だけ待機しても音声信号が確定しない場合には、マイコン１８は、一旦、入力経路をＨＤＭＩからデジタルあるいはアナログ経路に切り替える（Ｓ３０６）。すなわち、マイコン１８は、ＤＩＲ１４並びにアナログスイッチ２４に制御信号を出力し、デジタル出力信号あるいはアナログ出力信号を選択して出力するように制御する。これにより、レシーバ１０のスピーカからは、一旦、デジタル出力信号あるいはアナログ出力信号が出力される。
【００９５】
ＨＤＭＩからデジタルあるいはアナログに入力経路を切り替えた後、ＨＤＭＩＲＸ１２でＨＤＭＩデータに含まれる音声信号を抽出して音声信号の確定情報をマイコン１８に出力すると、マイコン１８は、確定情報を受信したタイミングで音声信号が確定したものと判定し（Ｓ３０７）、このタイミングでタイマを停止し、実際に音声信号が確定するまでの時間を計測する。マイコン１８は、このときの時間をメモリに記憶する。なお、後述するように、本実施形態ではデフォルトの待機時間に所定時間を加減算し、実際に音声信号が確定するまでの時間を調整に用いないので、マイコン１８は必ずしも計測時間をメモリに記憶する必要はない。また、マイコン１８は、ＨＤＭＩの音声信号が確定したため、Ｓ１１１で一旦切り替えたデジタルあるいはアナログ経路を再びＨＤＭＩ経路に切り替える（Ｓ３０８）。すなわち、マイコン１８は、ＤＩＲ１４並びにアナログスイッチ２４に制御信号を出力し、ＨＤＭＩ出力信号を選択して出力するように制御する。これにより、レシーバ１０のスピーカからＨＤＭＩ出力信号が出力される。その後、プレーヤ５０を停止し、あるいはＨＤＭＩ接続を解除すると、オーディオ出力も停止する（Ｓ３０９）。
【００９６】
プレーヤ５０を停止し、あるいはＨＤＭＩ接続を解除した後、再び同一プレーヤ５０を
同一ＨＤＭＩ入力端子に接続して再生すると（Ｓ３１０）、マイコン１８は再びＨＤＭＩＲＸ１２からの解像度情報に応じて映像信号の解像度を確定し（Ｓ３１１）、タイマをスタートさせて音声信号が確定するまで待機時間だけ待機する（Ｓ３１２）。このときの待機時間は、デフォルトの待機時間に所定時間だけ加算した時間であり、所定時間は任意に設定でき例えば５００ｍｓｅｃである。すなわち、待機時間は２０００ｍｓｅｃ＋５００ｍｓｅｃ＝２５００ｍｓｅｃとなる。
【００９７】
マイコン１８は、実際に音声信号が確定するまでの時間Ｔｉｍｅ２と調整後の待機時間である２５００ｍｓｅｃとを大小比較し（Ｓ３１３）、実際に音声信号が確定するまでの時間Ｔｉｍｅ２が調整後の待機時間２５００ｍｓｅｃ以内である場合、入力経路をＨＤＭＩのままとし、かつ、待機時間を現状の２５００ｍｓｅｃを維持する。
【００９８】
一方、Ｓ３１３でＹＥＳ、すなわち調整後の待機時間２５００ｍｓｅｃだけ待機しても音声信号が確定しない場合には、マイコン１８は、一旦、入力経路をＨＤＭＩからデジタルあるいはアナログ経路に切り替える（Ｓ３１５）。すなわち、マイコン１８は、ＤＩＲ１４並びにアナログスイッチ２４に制御信号を出力し、デジタル出力信号あるいはアナログ出力信号を選択して出力するように制御する。これにより、レシーバ１０のスピーカからは、一旦、デジタル出力信号あるいはアナログ出力信号が出力される。
【００９９】
ＨＤＭＩからデジタルあるいはアナログに入力経路を切り替えた後、ＨＤＭＩＲＸ１２でＨＤＭＩデータに含まれる音声信号を抽出して音声信号の確定情報をマイコン１８に出力すると、マイコン１８は、確定情報を受信したタイミングで音声信号が確定したものと判定し（Ｓ３１６）、Ｓ３１５で一旦切り替えたデジタルあるいはアナログ経路を再びＨＤＭＩ経路に切り替える（Ｓ３１７）。以後、同様の処理を繰り返す。すなわち、次回の再生では、待機時間にさらに所定の５００ｍｓｅｃを加算して、待機時間を２５００ｍｓｅｃ＋５００ｍｓｅｃ＝３０００ｍｓｅｃに調整して音声信号の確定を待つ。調整した待機時間内に音声信号が確定すれば、その待機時間をそのまま維持し、一方、調整した待機時間内に音声信号が確定しなければ、さらに５００ｍｓｅｃだけ待機時間に加算して調整する。
【０１００】
なお、本実施形態において、待機時間に加減算する所定時間は、ユーザが任意に設定可能としてもよい。また、待機時間の調整回数に上限を設けることもできる。さらに、待機時間自体に上限ないし下限を設けてもよい。例えば、待機時間の上限を５０００ｍｓｅｃに設定する等であり、待機時間を調整して５０００ｍｓｅｃとした場合において、未だに音声信号が確定するまでの時間が調整後の待機時間を超えるときでも、待機時間を現状のまま維持して調整しない。
【０１０１】
また、本実施形態において、待機時間から所定時間を減算して調整する場合については、以下の通りである。
【０１０２】
図１０において、Ｓ３０４でＮＯ、すなわち音声信号が確定するまでの時間がデフォルトの待機時間内である場合、マイコン１８はデフォルトの待機時間を維持する代わりに、デフォルトの待機時間から所定時間、例えば２００ｍｓｅｃだけ減算して待機時間を調整する。次回にＨＤＭＩ接続されたプレーヤ５０を再生した場合、待機時間として調整後の待機時間である２０００ｍｓｅｃ−２００ｍｓｅｃ＝１８００ｍｓｅｃを用いて音声信号の確定を待つ。そして、音声信号が確定するまでの時間が調整後の待機時間内である場合、マイコン１８はさらに待機時間から２００ｍｓｅｃだけ減算して待機時間を調整する。以上の処理を繰り返し、音声信号が確定するまでの時間が待機時間を超えた場合に、そのときの待機時間の一つ前の待機時間（要するに、そのときの待機時間＋２００ｍｓｅｃ）を最終的な待機時間に設定する。
【０１０３】
＜第４実施形態＞
本実施形態では、デフォルトの待機時間をユーザが手動で調整する例について説明する。
【０１０４】
図１１に、本実施形態の処理フローチャートを示す。まず、ユーザは、レシーバ１０に設けられたボタンやスイッチ等の操作手段で音声確定までの待機時間をＸ（ｍｓｅｃ）に設定する（Ｓ４０１）。具体的には、ユーザが操作手段を操作すると、マイコン１８はレシーバ１０の表示部にデフォルトの待機時間を表示させ、ユーザの操作手段による操作に応じて表示部に表示された待機時間を増減変更させる。ユーザが所望の待機時間において操作手段を操作して待機時間を確定させる。マイコン１８は、ユーザにより設定された待機時間をメモリに記憶する。
【０１０５】
次に、ＨＤＭＩ接続されたプレーヤ５０を再生する（Ｓ４０２）。次に、マイコン１８は、ＨＤＭＩＲＸ１２からの情報に基づいて、ＨＤＭＩデータに含まれる映像信号の解像度を確定する（Ｓ４０３）。マイコン１８は、この映像信号の解像度確定のタイミングをＨＤＭＩデータが入力されたタイミングとみなし、映像信号の解像度確定のタイミングでタイマをスタートさせる。タイマの時間変数をＴｉｍｅ１とすると、このタイミングでＴｉｍｅ１をリセットしてカウントを開始する。
【０１０６】
次に、マイコン１８は、ＨＤＭＩＲＸ１２で音声信号の入力を確定するまで、所定の待機時間だけ待機する（Ｓ４０４）。所定の待機時間は、ユーザにより設定されメモリに記憶された待機時間Ｘ（ｍｓｅｃ）である。ＨＤＭＩＲＸ１２は、ＨＤＭＩデータに含まれる音声信号を抽出すると、そのタイミングで音声信号の確定情報をマイコン１８に出力する。マイコン１８は、ＨＤＭＩＲＸ１２からの音声信号確定情報を受信すると、そのタイミングでタイマを停止し、映像信号の解像度確定から音声信号確定までに要した時間Ｔｉｍｅ１を実際に音声信号が確定するまでの時間として計測する。
【０１０７】
マイコン１８は、実際に音声信号が確定するまでの時間Ｔｉｍｅ１とデフォルトの待機時間Ｘとを大小比較し（Ｓ４０５）、実際に音声信号が確定するまでの時間Ｔｉｍｅ１がデフォルトの待機時間Ｘ以内である場合、待機時間を現状のまま維持して調整しない（Ｓ４０６）。入力経路もＨＤＭＩのままである。
【０１０８】
一方、Ｓ４０５でＹＥＳ、つまり待機時間だけ待機しても音声信号が確定しない場合には、マイコン１８は、一旦、入力経路をＨＤＭＩからデジタルあるいはアナログ経路に切り替える（Ｓ４０７）。すなわち、マイコン１８は、ＤＩＲ１４並びにアナログスイッチ２４に制御信号を出力し、デジタル出力信号あるいはアナログ出力信号を選択して出力するように制御する。これにより、レシーバ１０のスピーカからは、一旦、デジタル出力信号あるいはアナログ出力信号が出力される。
【０１０９】
ＨＤＭＩからデジタルあるいはアナログに入力経路を切り替えた後、ＨＤＭＩＲＸ１２でＨＤＭＩデータに含まれる音声信号を抽出して音声信号の確定情報をマイコン１８に出力すると、マイコン１８は、確定情報を受信したタイミングで音声信号が確定したものと判定し（Ｓ４０８）、このタイミングでタイマを停止し、実際に音声信号が確定するまでの時間を計測する。また、マイコン１８は、ＨＤＭＩの音声信号が確定したため、Ｓ４０７で一旦切り替えたデジタルあるいはアナログ経路を再びＨＤＭＩ経路に切り替える（Ｓ４０９）。すなわち、マイコン１８は、ＤＩＲ１４並びにアナログスイッチ２４に制御信号を出力し、ＨＤＭＩ出力信号を選択して出力するように制御する。これにより、レシーバ１０のスピーカからＨＤＭＩ出力信号が出力される。その後、プレーヤ５０を停止し、あるいはＨＤＭＩ接続を解除すると、オーディオ出力も停止する（Ｓ４１０）。
【０１１０】
ユーザは、一旦、デジタル出力信号あるいはアナログ出力信号がオーディオ出力されたことを認識し、現状の待機時間が不足しているものとみなして、再びレシーバ１０の操作手段を操作して待機時間をＸよりも大きいＹ（ｍｓｅｃ）に調整する（Ｓ４１１）。マイコン１８は、操作手段からの操作に応答して、メモリに記憶されている現状の待機時間Ｘを読み出して表示部に表示させるとともに、操作手段に応じて待機時間を変化させる。調整後の待機時間Ｙは、メモリに記憶される。
【０１１１】
その後、再び同一プレーヤ５０を同一ＨＤＭＩ入力端子に接続して再生すると（Ｓ４１２）、マイコン１８は再びＨＤＭＩＲＸ１２からの解像度情報に応じて映像信号の解像度を確定し（Ｓ４１３）、タイマをスタートさせて音声信号が確定するまで待機時間だけ待機する（Ｓ４１４）。このときの待機時間は、ユーザにより手動調整された待機時間Ｙである。
【０１１２】
マイコン１８は、実際に音声信号が確定するまでの時間Ｔｉｍｅ２と調整後の待機時間Ｙとを大小比較し（Ｓ４１５）、実際に音声信号が確定するまでの時間Ｔｉｍｅ２が調整後の待機時間Ｙ以内である場合、入力経路をＨＤＭＩのままとし、かつ、待機時間を現状のＹを維持する（Ｓ４１６）。
【０１１３】
一方、Ｓ４１５でＹＥＳ、すなわち調整後の待機時間Ｙだけ待機しても音声信号が確定しない場合には、マイコン１８は、一旦、入力経路をＨＤＭＩからデジタルあるいはアナログ経路に切り替える（Ｓ４１７）。すなわち、マイコン１８は、ＤＩＲ１４並びにアナログスイッチ２４に制御信号を出力し、デジタル出力信号あるいはアナログ出力信号を選択して出力するように制御する。これにより、レシーバ１０のスピーカからは、一旦、デジタル出力信号あるいはアナログ出力信号が出力される。
【０１１４】
ＨＤＭＩからデジタルあるいはアナログに入力経路を切り替えた後、ＨＤＭＩＲＸ１２でＨＤＭＩデータに含まれる音声信号を抽出して音声信号の確定情報をマイコン１８に出力すると、マイコン１８は、確定情報を受信したタイミングで音声信号が確定したものと判定し（Ｓ４１８）、Ｓ４１７で一旦切り替えたデジタルあるいはアナログ経路を再びＨＤＭＩ経路に切り替える（Ｓ４１９）。以後、同様の処理を繰り返す。すなわち、次回の再生では、ユーザはさらに待機時間を手動調整して音声信号の確定を待つ。調整した待機時間内に音声信号が確定すれば、その待機時間をそのまま維持し、一方、調整した待機時間内に音声信号が確定しなければ、さらに待機時間を手動調整する。
【０１１５】
以上、本発明の実施形態について説明したが、本発明はこれに限定されるものではなく、種々の変形が可能である。
【０１１６】
例えば、第１〜第３実施形態ではレシーバ１０側で自動的に待機時間を調整し、第４実施形態ではユーザが手動で待機時間を調整しているが、これらを互いに組み合わせ、ユーザが自動調整と手動調整を選択可能とし、自動調整を選択した場合に第１〜第３実施形態のいずれかの処理を実行し、手動調整を選択した場合に第４実施形態の処理を実行してもよい。もちろん、ユーザが第１〜第３実施形態のいずれを実行するかを選択できるように構成してもよい。
【０１１７】
また、本実施形態において、ＨＤＭＩの音声信号が確定するまでの時間として、ＨＤＭＩデータに含まれる映像信号の解像度が確定してから音声信号が確定するまでの時間として計測しているが、必ずしもこれに限定されるわけではなく、他の方法によって音声信号が確定するまでの時間を計測してもよい。要するに、ＨＤＭＩ入力端子に接続されるプレーヤによって音声信号が確定するまでの時間は変動し得るとの事実に基づき、この変動する時間を客観的に評価し得る任意の方法を用いることが可能である。
【０１１８】
また、本実施形態において、待機時間を自動調整する毎に、その旨をレシーバ１０の表示部に表示してユーザに報知してもよい。但し、待機時間自体はユーザは意識していない場合も多いと考えられるため、待機時間そのものを表示するのではなく、入力経路の切替表示により間接的に表示してもよい。
【０１１９】
また、本実施形態において、マイコン１８がＨＤＭＩ経路とデジタル経路あるいはアナログ経路を自動的に切り替えて出力する切替制御手段として機能しているが、マイコン１８で実行される自動切替処理及び待機時間の調整処理を実行するための制御プログラムは、予めファームウェアとしてレシーバ１０のＲＯＭに記憶することができる。もちろん、マイコン１８に代えて、経路の自動切替処理及び待機時間の調整処理をハードウェアとして実行する専用のプロセッサを設けてもよい。
【０１２０】
また、本実施形態において、待機時間はマイコン１８のメモリに記憶されるが、メモリは揮発性あるいは不揮発性のいずれでもよい。但し、レシーバ１０の電源をオフにした後に再度電源をオンにし、同一プレーヤを再生する場合を考慮すると、待機時間は不揮発性のメモリに記憶するのが望ましい。揮発性、不揮発性を問わず、メモリにはデフォルトの待機時間データ、調整後の待機時間データが記憶されることになり、待機時間の調整は入力端子に接続されるプレーヤ毎に実行されるから、調整後の待機時間データはさらにプレーヤ毎に記憶されることになる。具体的には、ＨＤＭＩ入力端子に接続されるプレーヤとしてプレーヤＡ及びプレーヤＢがあるものとすると、メモリに記憶される待機時間データは、デフォルトの待機時間データと、プレーヤＡ用の調整後の待機時間データと、プレーヤＢ用の調整後の待機時間データである。プレーヤＡが接続された場合、マイコン１８はメモリにアクセスしてプレーヤＡ用の調整後の待機時間データを読み出してこれを用いる。一方、プレーヤＡ、Ｂ以外のプレーヤが接続された場合、マイコン１８はデフォルトの待機時間データを読み出してこれを用いる。
【０１２１】
さらに、本実施形態において、「待機時間」は、ＨＤＭＩデータの音声信号が確定するまでマイコン１８が待機する時間として定義されるが、ＨＤＭＩデータ以外にも、ある信号経路から別の信号経路に切り替えるまでにマイコン１８その他のプロセッサが待機する時間として定義することができる。本実施形態の待機時間は、マイコン１８がある信号経路から別の信号経路に切り替えるための「切替時間」、あるいはある信号経路から別の信号経路に切り替えるための「猶予時間」として捉えることもできる。従って、本実施形態の「待機時間」には、これら切替時間や猶予時間の概念も当然に含まれると解釈されなければならない。
【符号の説明】
【０１２２】
１０  レシーバ、１２  ＨＤＭＩＲＸ、１４  ＤＩＲ、１６  ＡＤＣ、１８  マイコン、２０  ＤＳＰ、２２  ＤＡＣ、２４  アナログスイッチ、２６  ボリュームＩＣ、２８  アンプ、３０  スピーカリレー。
【図１】
2014013961.tif 000003
【図２】
2014013961.tif 000004
【図３】
2014013961.tif 000005
【図４】
2014013961.tif 000006
【図５】
2014013961.tif 000007
【図６】
2014013961.tif 000008
【図７】
2014013961.tif 000009
【図８】
2014013961.tif 000010
【図９】
2014013961.tif 000011
【図１０】
2014013961.tif 000012
【図１１】
2014013961.tif 000013